(57)【要約】【課題】  チューブの取り外しを簡便にして取扱性を向上すると共に、複数種類の形状の異なるスプレー缶を取り付け可能で汎用性のある防護盾を提供する。【解決手段】  盾本体の内側に上下２本の支柱を介して握り部の上下両端を固定し、この握り部の内部に催涙ガスのスプレー缶を収納し、スプレー缶の頭部の噴射ボタンを握り部の上端より露出すると共に、頭部のノズルより延伸したチューブの先端を盾本体の周縁部に開口した噴射孔に接続する防護盾において、前記握り部の上端側に左右一対の保護壁を配置し、これら保護壁と保護壁の間にスプレー缶頭部より噴射孔に至る縦溝を有する包囲体を設け、この縦溝に前記チューブを挿入した。【選択図】図１
2007071441.tif 000002
【特許請求の範囲】
【請求項１】
盾本体の内側に上下２本の支柱を介して握り部の上下両端を固定し、この握り部の内部に催涙ガスのスプレー缶を収納し、スプレー缶の頭部の噴射ボタンを握り部の上端より露出すると共に、頭部のノズルより延伸したチューブの先端を盾本体の周縁部に開口した噴射孔に接続する防護盾において、
前記握り部の上端側に左右一対の保護壁を配置し、これら保護壁と保護壁の間にスプレー缶頭部より噴射孔に至る縦溝を有する包囲体を設け、この縦溝に前記チューブを挿入してなるガス噴射装置。
【請求項２】
前記保護壁は、前記握り部の上端側の支柱に一体的に形成してなる請求項１記載のガス噴射装置。
【請求項３】
前記保護壁の盾本体側の端縁を、前記支柱の盾本体側端よりも握り部側に配置してなる請求項２記載のガス噴射装置。
【請求項４】
前記包囲体は、盾本体に開口した噴射孔に挿通する差込み筒を有し、この差込み筒の内径をテーパ状に形成してなる請求項１記載のガス噴射装置。
【請求項５】
前記握り部は縦に分割して、盾本体に固定される取っ手本体と、この取っ手本体に係合固定するカバー体とにより形成し、この取っ手本体とカバー体とによりスプレー缶を挟持して握り部内に収納してなる請求項１記載のガス噴射装置。
【請求項６】
前記握り部の内側面にスプレー缶の凹凸をうける収容部を形成してなる請求項５記載のガス噴射装置。
【請求項７】
前記握り部の内側にスプレー缶の下端を受ける底板を着脱自在に構成してなる請求項５記載のガス噴射装置。
【発明の詳細な説明】
【技術分野】
【０００１】
本発明は、小売店の店頭や家庭の玄関などに設置しておき、暴漢等に襲われた際に身を守ると共に、暴漢を撃退する催涙スプレー缶などの対人撃退用スプレー缶を備えた防護盾のガス噴射装置に関するものである。
【背景技術】
【０００２】
近年の犯罪の増加や凶悪化に対応して、学校、金融機関やコンビニエンスストアなどの業務用や一般家庭用として、対人撃退用の催涙スプレーやアラーム等を備えた防護盾が普及し始めている。
【０００３】
従来の防護盾は、盾本体の内側面に取付けた取っ手の握り部を円筒状に形成して空洞部を設け、この空洞部にスプレー缶を挿通して、スプレー缶の頭部を露出した状態で収納固定し、スプレー缶のノズルからチューブを延伸して先端を盾本体に開口した噴射孔に接続し、チューブがはずれたりすることを防ぐ保持部材を盾本体にネジ止めして固定している（特許文献１）。
【０００４】
しかし、従来の保持部材は盾本体の内側面にネジ止めしてしていたため、スプレー缶を交換する際のチューブの取り外しが面倒で取扱性が悪かった。また、スプレー缶は空洞部に挿通して収納固定する構成であったため、スプレーを固定してからチューブを盾本体の噴射孔に接続しないと、スプレーが長い場合にはチューブを過度に折り曲げたりして損傷したり、外れたりするおそれがあると共に、凹凸のある形状のスプレー缶などを使用することができず汎用性が低かった。
【特許文献１】特開２００４−３５４０３５号公報
【発明の開示】
【発明が解決しようとする課題】
【０００５】
チューブの取り外しを簡便にして取扱性を向上すると共に、複数種類の形状の異なるスプレー缶を取り付け可能で汎用性のある防護盾を提供することを目的とする。
【課題を解決するための手段】
【０００６】
上記課題を解決するために、請求項１記載のごとく、盾本体の内側に上下２本の支柱を介して握り部の上下両端を固定し、この握り部の内部に催涙ガスのスプレー缶を収納し、スプレー缶の頭部の噴射ボタンを握り部の上端より露出すると共に、頭部のノズルより延伸したチューブの先端を盾本体の周縁部に開口した噴射孔に接続する防護盾において、前記握り部の上端側に左右一対の保護壁を配置し、これら保護壁と保護壁の間にスプレー缶頭部より噴射孔に至る縦溝を有する包囲体を設け、この縦溝に前記チューブを挿入した。
【０００７】
請求項２記載のごとく、前記保護壁は、前記握り部の上端側の支柱に一体的に形成した。
【０００８】
請求項３記載のごとく、前記保護壁の盾本体側の端縁を、前記支柱の盾本体側端よりも握り部側に配置した。
【０００９】
請求項４記載のごとく、前記包囲体は、盾本体に開口した噴射孔に挿通する差込み筒を有し、この差込み筒の内径をテーパ状に形成した。
【００１０】
請求項５記載のごとく、前記握り部は縦に分割して、盾本体に固定される取っ手本体と、この取っ手本体に係合固定するカバー体とにより形成し、この取っ手本体とカバー体とにより挟持してスプレー缶を収納した。
【００１１】
請求項６記載のごとく、前記握り部の内側面にスプレー缶の凹凸をうける収容部を形成した。
【００１２】
請求項７記載のごとく、前記握り部の内側にスプレー缶の下端を受ける底板を着脱自在に構成した。
【発明の効果】
【００１３】
請求項１記載のごとく、握り部の上端側に左右一対の保護壁を設けてスプレー缶頭部より噴射孔に至る縦溝を有する包囲体を形成し、この縦溝にスプレー缶のノズルから延伸したチューブを挿入することにより、この縦溝によってチューブを包囲体内から簡便に出し入れしてチューブを保護することができるため、スプレー缶の着脱が容易になり取扱性が向上する。
【００１４】
請求項２記載のごとく、前記保護壁を握り部の上端側の支柱に一体的に形成したことにより、スプレー缶の頭部近傍から縦溝を配置してチューブを確実に保護すると共に、防護盾の部品点数を減らして組立コストや部品コストを減らすことができる。
【００１５】
請求項３記載のごとく、前記保護壁の盾本体側の端縁を、前記支柱の盾本体側端よりも握り部側に配置したことにより、盾本体が内側に湾曲した形状であっても保護壁が盾本体に突き当たって邪魔にならずに使用することができ、汎用性を向上することができる。
【００１６】
請求項４記載のごとく、噴射孔に挿通する差込み筒の内径をテーパ状に形成したことにより、チューブを差込み筒に挿通して弾性固定することが出来ると共に、各種のスプレー缶のノズルに対応して太さの異なるチューブを使用しても確実に噴射孔に固定することができる。
【００１７】
請求項５記載のごとく、前記握り部を縦に分割して、取っ手本体とカバー体とにより形成し、この取っ手本体とカバー体とによりスプレー缶を挟持固定したことにより、スプレー缶を固定せずにチューブを包囲体内に導入して固定し、その後にスプレー缶を握り部に収納固定することができるため、チューブの着脱とスプレー缶の装脱を容易に行なうことができる。
【００１８】
請求項６記載のごとく、握り部の内側面にスプレー缶の凹凸をうける収容部を形成したことにより、形状の異なる複数種類のスプレー缶を握り部に収納固定することができて汎用性を向上することができる。
【００１９】
請求項７記載のごとく、前記握り部にスプレー缶の下端を受ける底板を着脱自在に構成したことにより、凹凸を有しないスプレー缶であっても底板によって下端をうけて取付けることができる。
【発明を実施するための最良の形態】
【００２０】
以下、図１乃至図７を参照して本発明に係る防護盾の詳細について説明する。
【００２１】
図１は、本発明にかかる防護盾を内側から見た斜視図である。
【００２２】
防護盾１は、軽量で耐衝撃性に優れたポリカーボネートからなる板状の盾本体２の内側に、取っ手３を取付けて形成される。取っ手３は、盾本体２の中央内側にネジ止めされる上下２本の支柱３ａ、３ａを介して、スプレー缶５を収納する中空円筒状の握り部６を固定してなる。
【００２３】
握り部６は上端を開放してスプレー缶５の頭部の噴射スイッチを露出し、このスプレー缶５のノズルから延伸したチューブ７を盾本体２の周縁部に形成した噴射孔２ａに接続する。取っ手３の上側の支柱３ａにはチューブ７を囲む包囲体８を設ける。
【００２４】
図２は取っ手にスプレー缶を装着した状態を示す部分断面側面図である。
【００２５】
握り部６は、盾本体２に支柱３ａ、３ａを介して固定された取っ手本体３ｂに、半円筒状のカバー体４を取付けて中空の円筒状に形成される。握り部６には、スプレー缶５に形成された突起部５ａが収まる収容部６ａを形成する。
【００２６】
握り部６の取っ手本体３ｂ側の下部には取付け溝６ｂが形成されており、これに底板６ｃが装着されている。この底板６ｃによってスプレー缶５の下端を支える。
【００２７】
包囲体８は、左右一対の保護壁９、９と、盾本体２に形成された噴射孔２ａに挿通される差込み筒１０とにより構成されている。この包囲体８を、取っ手３の上側の支柱３ａに一体的に形成する。支柱３ａは中空に形成して、握り部６と左右の保護壁９、９に挟まれた縦溝１１とを接続する。
差込み筒１０の内径はテーパ状に形成し、これにチューブ７を挿通して弾性固定する。
【００２８】
包囲体８は保護壁９、９によって、図３に示したごとく、断面視右側が開口した左右逆向きのコの字型に形成されている。両保護壁９、９の間に形成された縦溝１１にこの開口からチューブ７を挿入する。ここで図３は、図２における包囲体８のＡ−Ａ断面図を示している。
【００２９】
図４は取っ手本体３ｂからカバー体４を取り外した状態を示す部分破断側面図である。
【００３０】
カバー体４は半円筒形状に形成され、取っ手本体３ｂに当接する端縁の長さ方向途中部に、Ｌ字状の係合突起４ａを形成する。また、カバー体４の下端には板状に形成した弾性係止部４ｂを設ける。
【００３１】
取っ手本体３ｂには、カバー体４の係合突起４ａをうける係合凹部３ｃと、弾性係止部４ｂをうける係止部３ｄを形成する。そして、カバー体４に当接する取っ手本体３ｂの端縁には、カバー体４の端縁内側に接するガイド部３ｅを突設する。また、取っ手本体３ｂの側面部には、スプレー缶５の突起部５ａが収まる収容部６ａと、底板６ｃを取り付ける取り付け溝６ｂが形成されている。
【００３２】
次に、取っ手３へのスプレー缶５の装着について説明する。
【００３３】
まず、スプレー缶５のノズルからチューブ７を延伸し、先端をテーパ状の差込み筒１０に挿通して弾性固定し、縦溝１１からチューブ７を挿入して包囲体８の内部に導入する。図２に示したように、取っ手本体３ｂの取付け溝６ｂには底板６ｃを取り付けてスプレー缶５を装着する。
【００３４】
そして、カバー体４の下端に形成した弾性係止部４ｂを取っ手本体３ｂの係止部３ｄに掛け、下方に押し込んで弾性係止部４ｂを反り返らせた後、カバー体４をガイド部３ｅに沿わせて、係合突起４ａを係合凹部３ｃに嵌め込む。
反り返った弾性係止部４ｂが復元すると、係合突起４ａが係合凹部３ｃに係合して、カバー体４が取っ手本体３ｂに連結され、スプレー缶５が握り部６に固定される。
【００３５】
次に、図２に示したスプレー缶と別のスプレー缶を取り付けた状態について説明する。
図５は、図２に示したスプレー缶と別のスプレー缶を取り付けた状態を示す側面断面図である。
【００３６】
図５に示したスプレー缶５はグリップ状の突起部５ａを有している。この突起部５ａは取っ手本体３ｂの盾本体２側に形成された収容部６ａに嵌め込まれている。
【００３７】
図６は、さらに別のスプレー缶を取り付けた状態を示しており、カバー体４を取り外した状態の取っ手本体３ｂの正面図である。
【００３８】
図６に示したスプレー缶５はクリップ状の突起部５ａを有しており、図４で示した取っ手本体４ｂの側面に形成された収容部６ａに嵌め込まれている。
【００３９】
次に、本発明に係るガス噴射装置を備えた防護盾の別の実施形態について説明する。
【００４０】
図７は、盾本体が湾曲した防護盾の部分断面側面図である。
保護壁９は、支柱３ａ、３ａの盾本体側の端部よりも握り部側に配置されており、図７に示すように湾曲形状の盾本体２にも取付けて使用することもできる。
【００４１】
また、左右に一対の取っ手を有する防護盾にも本発明にかかるガス噴射装置を使用することができ、左右のいずれか、又は両方の取っ手をガス噴射装置と付け替える。
【図面の簡単な説明】
【００４２】
【図１】本発明にかかる防護盾を内側から見た斜視図
【図２】取っ手にスプレー缶を装着した状態を示す部分断面側面図
【図３】図２における包囲体のＡ−Ａ断面図
【図４】取っ手本体とカバー体とを分離した状態を示す部分破断側面図
【図５】グリップ部を有するスプレー缶を装着した状態を示す部分断面側面図
【図６】クリップを有するスプレー缶を装着した状態を示す取っ手本体の正面図
【図７】盾本体が湾曲した防護盾の部分断面側面図
【符号の説明】
【００４３】
１    防護盾
２    盾本体
２ａ  噴射孔
３    取っ手
３ａ  支柱
３ｂ  取っ手本体
３ｃ  係合凹部
３ｄ  係止部
３ｅ  ガイド部
４    カバー体
４ａ  係合突起
４ｂ  弾性係止部
５    スプレー缶
５ａ  突起部
６    握り部
６ａ  収容部
６ｂ  取付け溝
６ｃ  底板
７    チューブ
８    包囲体
９    保護壁
１０  差込み筒
１１  縦溝
【図１】
2007071441.tif 000003
【図２】
2007071441.tif 000004
【図３】
2007071441.tif 000005
【図４】
2007071441.tif 000006
【図５】
2007071441.tif 000007
【図６】
2007071441.tif 000008
【図７】
2007071441.tif 000009